(57)【特許請求の範囲】
【請求項１】
上部に操作表示部と当該筐体の一側面側から金銭の出し入れが可能なドロワとレシートを排出する排出口とを設けた筐体と、
前記筐体の上面に対する前記操作表示部の傾きを変えて保持し、前記操作表示部を前記上面に対して立てた第１状態、或いは、前記操作表示部を前記上面に沿わせた第２状態とする保持機構と、
前記第１状態または前記第２状態を検出する検出手段と、
前記表示画面から情報入力を受付ける受付手段と、
商品情報を読み取るスキャナが設置場所から取り外されたことを検出するスキャナ検出手段と、
前記第１状態と前記第２状態とでは前記操作表示部に表示される表示画面の向きを上下反転させて表示するとともに、前記第２状態において、前記受付手段による商品の注文を受付ける注文受付画面を当該注文受付画面の下側が前記ドロワとは反対側になるように前記操作表示部に表示し、前記スキャナが取り外されたことが検出されると、商品を販売登録する登録画面の下側が前記ドロワ側となるように前記登録画面を前記操作表示部に表示する表示制御手段と、
を備えた商品販売データ処理装置。
【請求項２】
前記表示制御手段は、前記第２状態において、伝票に関する入力を受付ける伝票入力画面を当該伝票入力画面の下側が前記ドロワとは反対側になるように前記操作表示部に表示し、
前記受付手段は、前記伝票入力画面から手書き入力による情報入力を受付ける、
請求項１に記載の商品販売データ処理装置。
【請求項３】
前記表示制御手段は、前記検出手段が前記第１状態を検出すると、前記登録画面を当該登録画面の下側が前記ドロワ側となるように表示する、
請求項２に記載の商品販売データ処理装置。
【請求項４】
上部に操作表示部と当該筐体の一側面側から金銭の出し入れが可能なドロワとレシートを排出する排出口とを設けた筐体と、
前記筐体の上面に対する前記操作表示部の傾きを変えて保持し、前記操作表示部を前記上面に対して立てた第１状態、或いは、前記操作表示部を前記上面に沿わせた第２状態とする保持機構と、
を備えた商品販売データ処理装置を制御するためのコンピュータを、
前記第１状態または前記第２状態を検出する検出手段と、
前記表示画面から情報入力を受付ける受付手段と、
商品情報を読み取るスキャナが設置場所から取り外されたことを検出するスキャナ検出手段と、
前記第１状態と前記第２状態とでは前記操作表示部に表示される表示画面の向きを上下反転させて表示するとともに、前記第２状態において、前記受付手段による商品の注文を受付ける注文受付画面を当該注文受付画面の下側が前記ドロワとは反対側になるように前記操作表示部に表示し、前記スキャナが取り外されたことが検出されると、商品を販売登録する登録画面の下側が前記ドロワ側となるように前記登録画面を前記操作表示部に表示する表示制御手段と、
して機能させるためのプログラム。
【発明の詳細な説明】
【技術分野】
【０００１】
本発明の実施形態は、商品販売データ処理装置およびプログラムに関する。
【背景技術】
【０００２】
コンビニエンスストア等の小売店舗では、チェックアウトコーナーのコンパクト化と、接客性の向上とが望まれている。このような店舗では、ＰＯＳ（Point  Of  Sales：販売時点管理）装置を対面式カウンタの片側に寄せて、カウンタの中央部分を荷詰め等の作業スペースとして確保している。また、この作業スペースは各種申し込み用紙や伝票を記入したり、カタログを広げたりするためのスペースとしても用いられる。
【０００３】
従来の受付処理では、客が各種申し込み用紙に記入したものを参照して、店員が再度ＰＯＳ装置から記入事項を入力する。従って、入力処理が二度手間となるため、商品受付や伝票記入等の処理効率の向上が望まれていた。また、従来の処理において、客が口頭で個人情報を店員に伝える場合もあり、プライバシー保護の向上が課題となっていた。
【発明の概要】
【発明が解決しようとする課題】
【０００４】
本発明が解決しようとする課題は、商品受付や伝票記入等の処理効率、接客性の向上を図ることができる商品販売データ処理装置およびプログラムを提供することである。
【課題を解決するための手段】
【０００５】
実施形態の商品販売データ処理装置は、上部に操作表示部と当該筐体の一側面側から金銭の出し入れが可能なドロワとレシートを排出する排出口とを設けた筐体と、前記筐体の上面に対する前記操作表示部の傾きを変えて保持し、前記操作表示部を前記上面に対して立てた第１状態、或いは、前記操作表示部を前記上面に沿わせた第２状態とする保持機構と、前記第１状態または前記第２状態を検出する検出手段と、前記表示画面から情報入力を受付ける受付手段と、商品情報を読み取るスキャナが設置場所から取り外されたことを検出するスキャナ検出手段と、前記第１状態と前記第２状態とでは前記操作表示部に表示される表示画面の向きを上下反転させて表示するとともに、前記第２状態において、前記受付手段による商品の注文を受付ける注文受付画面を当該注文受付画面の下側が前記ドロワとは反対側になるように前記操作表示部に表示し、前記スキャナが取り外されたことが検出されると、商品を販売登録する登録画面の下側が前記ドロワ側となるように前記登録画面を前記操作表示部に表示する表示制御手段と、を備える。
【図面の簡単な説明】
【０００６】
【図１】図１は、本実施形態にかかる商品販売ユニットを示す外観斜視図である。
【図２】図２は、操作表示部を筐体の上面に対して起こした状態を示す図である。
【図３】図３は、ＰＯＳ装置の機能構成を示すブロック図である。
【図４】図４は、ホーム画面の一例を示す図である。
【図５】図５は、ＰＯＳ装置が実行する表示切替処理の手順を示すフローチャートである。
【発明を実施するための形態】
【０００７】
図１は、本実施形態にかかる商品販売ユニット１の構成を示す外観斜視図である。商品販売ユニット１は、商品販売データ処理装置の一例としてのＰＯＳ装置２と、カウンタ３とを備えている。尚、商品販売ユニット１の備えるＰＯＳ装置２およびカウンタ３の台数および配置は特に限定されない。図１ではＰＯＳ装置２の左側にカウンタ３を備える例を示したが、ＰＯＳ装置２の右側にカウンタ３を備える構成としてもよい。また、商品販売ユニット１はＰＯＳ装置２の両側にカウンタ３を備えてもよいし、カウンタ３の両側にＰＯＳ装置２を備えてもよい。
【０００８】
ＰＯＳ装置２は、制御部５０を収納する筐体４を備えている。ＰＯＳ装置２の筐体４と、カウンタ３とは、各部の左右側面に設けられた連結具（不図示）でそれぞれ連結および脱着可能に構成されている。連結する際のレイアウトは変更自在であり、図１に示す並び順に限られない。
【０００９】
筐体４の上面４０およびカウンタ３において、上面３０の中央部は平坦な面となっている。筐体４の上面４０と、カウンタ３の上面３０とは、連結時に高さが揃うよう設けられている。また、各上面において他の上面と連結する端部（辺）は、小銭や紙幣等が引っ掛かるような溝ができないよう構成されている。そして、各部を連結すると、上記各部の上面が全体として商品販売ユニット１の上面として機能し、広い平坦部分を有する作業スペースを確保することができる。
【００１０】
また、筐体４の上面４０の客側（図１奥側）の端部には、客用表示部４１が設けられている。客用表示部４１としては、表面にタッチパネルを配設した液晶パネル等を用いることができる。客用表示部４１の上面は筐体４の上面４０と平坦な同一面を為すように形成され、客用表示部４１の上面も作業スペースとして利用することができる。
【００１１】
客用表示部４１は、図１に示すように筐体４の上面４０に沿って設けられ、その表示面は上方を向けて設けられている。これにより、後ろに並んでいる他の客に対して表示画面を見えにくくすることができる。従って、購入商品名、購入価格等、客のプライバシーに関わる情報を守り易い。
【００１２】
カウンタ３の上面３０の客側の端部にも、客用表示部３１が設けられている。客用表示部３１の構成は、客用表示部４１の構成と同様である。カウンタ３は、荷詰め作業、カタログ閲覧や伝票記入などに用いることができる。客用表示部３１は制御部５０に電気的に接続されており、制御部５０の制御により電子カタログや各種受付画面を表示したり、客への販促情報等を表示したりする。
【００１３】
また、客用表示部４１に近接する位置の筐体４、および、客用表示部３１に近接する位置のカウンタ３には、非接触ＩＣカードに対してデータ通信を行うカードＲＷ（リーダライタ）５がそれぞれ設けられている。
【００１４】
さらに、筐体４の上面４０およびカウンタ３の上面３０には、店員用および客用として兼用可能な操作表示部４２、３２がそれぞれ設けられている。操作表示部４２、３２の装置構成は特に限定されないが、表面にタッチパネルを配設した大型の液晶パネルを用いるとよい。操作表示部４２、３２は、上面４０、３０に対する角度をそれぞれ変えられるよう上面４０、３０に保持されている。操作表示部４２、３２の機能構成はほぼ同様であるので、以下、操作表示部４２について説明する。
【００１５】
図２は、操作表示部４２を筐体４の上面４０に対して起こした状態を示す図である。筐体４の上面４０には、内側に操作表示部４２を収納可能な収納溝４２ａが設けられている。収納溝４２ａは、操作表示部４２よりも一回り大きい寸法の凹部である。また、収納溝４２ａの左右両側には凹部４２ｂが設けられている。凹部４２ｂは、操作表示部４２を収納溝４２ａから引き出して起立させる場合に手を差し込むための溝である。凹部４２ｂは、小銭等が内側に落ちてしまった場合に当該小銭等を滑らせて掬い出せるようなだらかなスロープになっている。
【００１６】
操作表示部４２は、収納溝４２ａの左右両側の内壁に設けられた軸受け（不図示）に、操作表示部４２の側面の軸（不図示）を嵌めることで収納溝４２ａに保持されている。このように保持することで、操作表示部４２は軸周りに回動可能となる。従って、ユーザが操作表示部４２を収納溝４２ａから引き上げれば、表示画面を上面４０に対して立てた起立状態（図２）とすることができる。また、ユーザが操作表示部４２を押し倒して収納溝４２ａ内に収納すれば、表示画面を上面４０に沿わせた収納状態（図１）とすることができる。
【００１７】
尚、操作表示部４２を保持するための保持機構は、操作表示部４２の上面４０に対する角度（傾き）を変えて上記起立状態または収納状態にできるものであればよく、その構成は特に限定されない。
【００１８】
図１には収納状態の操作表示部４２が示されている。図１に示すように、収納状態において操作表示部４２の表示画面は、上面４０に沿って当該上面４０とともに平坦面をなすよう設けられている。従って、収納状態の表示画面は、客側（図１奥側）、店員側（図１手前側）のどちらからでも見ることができ、操作することができる。操作に不慣れな客は操作方法を店員に聞きながら操作を進めることができる。また、店員が客の入力操作を補助する場合にも、店員はドロワ４５側に立ったまま、操作表示部４２に対する操作を行うことができる。
【００１９】
図１において、筐体４の上部であって客用表示部４１と反対側の側面には、カードＲＷ（リーダライタ）４３の差込口と、排紙口４４とが設けられている。筐体４内部に設置されたプリンタ４４ａ（図３参照）は、制御部５０の制御に基づいてレシートＲ等を印刷し、印刷したレシートＲ等を排紙口４４から排出する。排紙口４４の隣には、金銭を収納するドロワ４５が設けられている。このように排紙口４４とドロワ４５とが隣接して設けられているので、ドロワ４５から釣銭を取り出して、レシートＲとともに客に手渡す作業をスムーズに行うことができる。
【００２０】
また、筐体４の上面４０においてドロワ４５側の端部には、スキャナ６を収納するためのスキャナポケット７が設けられている。スキャナポケット７はスキャナ６の設置場所の一例である。スキャナ６と制御部５０との通信は、有線通信式でもよいし、無線通信式でもよい。スキャナポケット７はカウンタ３の上面３０にも設けられている。尚、筐体４およびカウンタ３はスキャナポケット７を複数備えていてもよい。
【００２１】
筐体４のドロワ４５側の下部にはラック４６が複数段設けられ、物品を収納可能に構成されている。カウンタ３も同様に、客用表示部３１と反対側の側面にラック３６を複数段備えている。
【００２２】
また、筐体４の内部にはＰＯＳ装置２のシステム制御を行う制御部５０が収納されている。制御部５０の機能構成については図３を用いて説明する。
【００２３】
図３は、ＰＯＳ装置２の機能構成を示すブロック図である。図３に示すように、ＰＯＳ装置２は、制御部５０、通信Ｉ／Ｆ（Interface）６２、６３、６４、カードＲＷ（リーダライタ）５、４３、プリンタ４４ａ、ドロワ４５、客用表示部４１、操作表示部４２を備え、各部はバス６１で接続されている。制御部５０は、通信Ｉ／Ｆ６２および無線ＬＡＮ（Local  Area  Network）を介して外部装置とデータ通信する。また、制御部５０には通信Ｉ／Ｆ６４を介してカウンタ３のカードＲＷ５、客用表示部３１、操作表示部３２が接続されている。
【００２４】
制御部５０は、ＣＰＵ（Central  Processing  Unit）、ＲＯＭ（Read  Only  Memory）、ＲＡＭ（Random  Access  Memory）を有する。ＲＯＭは本実施形態のプログラムを記憶する。ＲＡＭは一時的にデータを格納するワークメモリである。また、ＣＰＵ（プロセッサ）は、ＲＯＭに格納された本実施形態のプログラムをＲＡＭに展開して実行することにより、図３に示すように、検出部５１、表示制御部５２、入力受付部５３、販売登録部５４として機能する。
【００２５】
検出部５１は、操作表示部４２、３２の収納状態または起立状態を検出する。検出方法は特に限定されないが、一例としてスイッチ機構を用いた検出方法を利用できる。より具体的には、収納溝４２ａの底部にスイッチを設けておく。当該スイッチが操作表示部４２の背面により押されて入状態となった場合に、検出部５１は操作表示部４２が収納状態となったことを検出する。また、操作表示部４２が収納溝４２ａから引き出されてスイッチが切状態となった場合に、検出部５１は操作表示部４２が起立状態となったことを検出する。操作表示部３２の検出についても同様である。
【００２６】
尚、検出部５１は、加速度センサを用いて上面４０、３０に対する操作表示部４２、３２の傾きを検出してもよい。この場合に検出部５１は、傾き角度が所定角度未満の場合には収納状態とし、所定角度以上となった場合に起立状態とする。
【００２７】
また、検出部５１は、スキャナ６がスキャナポケット７から取り外されたことを検出する。検出方法としては特に限定されないが、例えばスキャナポケット７の内部にスイッチを設けておく。スイッチは、スキャナポケット７にスキャナ６が収められている場合にはスイッチが入状態、スキャナポケット７にスキャナ６が入っていない場合にはスイッチが切状態となるような構成であればよい。そして検出部５１は、当該スイッチが切状態となった場合に、スキャナ６が設置場所であるスキャナポケット７から取り外されたことを検出する。尚、検出部５１は、スキャナ６がスキャナポケット７以外の設置場所に設置される場合には、当該設置場所から取り外されたことを検出する。
【００２８】
表示制御部５２は、商品販売ユニット１が備える表示器における表示処理全般を制御する。即ち表示制御部５２は、客用表示部４１、３１および操作表示部４２、３２における表示処理を制御する。操作表示部４２、３２の表示制御処理はほぼ同様であるので、以下では操作表示部４２の表示制御例について説明する。
【００２９】
表示制御部５２は、収納状態と起立状態とでは操作表示部４２の表示画面の向きを上下反転させて表示する。即ち表示制御部５２は、収納状態の操作表示部４２には客側に向けた表示画面を表示し、起立状態の操作表示部４２には店員側に向けた表示画面を表示する。
【００３０】
また、表示制御部５２は、操作表示部４２が収納状態であれば客向けの表示を行い、起立状態であれば店員向けの表示を行う。ここで、客向けの表示とは表示画面の向きが客側を向いており、表示内容も客が容易に操作できるよう構成された画面のことをいう。一方、店員向けの表示とは、表示画面の向きが店員側を向いており、表示内容は店員が操作する画面であって、商品の販売登録を行うための登録画面や決済用の画面、客向けの表示画面よりも詳細な操作を行うことができる画面等のことである。尚、上下反転の表示切替ごとに表示内容を変えてもよいが、上下反転しても表示内容が客向けと店員向けとで同様である画面があってもよい。
【００３１】
次に、表示画面例について説明する。一例として、表示制御部５２は、収納状態の操作表示部４２に客向けに表示されるホーム画面を表示する。図４は、ホーム画面の一例を示す図である。これにより、例えば店員がレジを離れている場合に、商品の注文処理やチケット注文、宅配伝票の記入等を客自らが行うことができる。また、ホーム画面には店員呼び出し用のボタンが設けてあるので、操作方法が分からない場合や購入商品の精算をしたい場合等に、店員を簡単に呼び出すことができる。このように客が操作できるホーム画面を表示しておくことにより、注文受付や伝票記入の利便性を向上することができる。また、店員が不在の場合にキオスク端末と同様に用いることができるので、ＰＯＳ装置２、カウンタ３を有効活用できる。
【００３２】
図４に示すホーム画面において「お弁当受付」や「チケット販売」が選択操作されると、表示制御部５２は弁当やチケット等の商品の注文を受付可能な注文受付画面（不図示）を操作表示部４２に表示する。尚、注文受付画面はその他の商品を受付ける画面であってもよい。
【００３３】
また、図４に示すホーム画面において「宅配伝票」が選択操作されると、表示制御部５２は宅配伝票を作成するための伝票入力画面を操作表示部４２に表示する。尚、伝票入力画面はその他の伝票を入力するための画面であってもよい。伝票入力画面は、手書き入力を受付けることができる。
【００３４】
操作表示部４２が収納状態であれば、操作表示部４２は注文受付画面、伝票入力画面を客側に向けて表示する。客側とは即ち、注文受付画面または伝票入力画面の下側がドロワ４５側とは反対側となる向きのことである。
【００３５】
一方、操作表示部４２が起立状態であれば、操作表示部４２は注文受付画面、伝票入力画面を店員側に向けて表示する。店員側とは即ち、注文受付画面または伝票入力画面の下側がドロワ４５側となる向きのことである。また、表示制御部５２は、起立状態において注文受付画面、伝票入力画面を店員向け画面として構成し、ヘルプメッセージや客向け表示には設けない操作ボタン等を設ける。これら詳細な画面構成は、操作に不慣れな客にとっては無用な情報となることもある。従って、客向けと店員向けとで表示内容を切り替えることで、客が快適に操作しやすいＰＯＳ装置２を提供することができる。
【００３６】
また、収納状態の操作表示部４２は表示画面が上方を向いているため、後ろに並んでいる客に対して表示画面を見えにくくすることができる。注文受付画面や伝票入力画面には個人情報が多く含まれるが、これら画面を上方に向けて入力操作を行うことができるので、プライバシーの保護を図ることができる。
【００３７】
また、表示制御部５２は、起立状態の操作表示部４２に、商品を販売登録するための登録画面（不図示）を店員側に向けて表示する。即ち表示制御部５２は、登録画面の下側がドロワ４５側となるように表示する。さらに、表示制御部５２は、スキャナ６がスキャナポケット７から取り外されたことが検出されると、操作表示部４２の表示画面に登録画面を店員側に向けて表示する。
【００３８】
入力受付部５３は、操作表示部４２、３２の表示画面に対する入力操作を受付ける。また、入力受付部５３は操作表示部４２、３２から手書き入力による情報入力を受付ける。
【００３９】
販売登録部５４は、スキャナ６が商品やカタログに付されたバーコードから読み取った商品コードを販売登録する。また、販売登録部５４は、入力受付部５３が受付けた情報を用いて販売登録を行う。販売登録部５４は、販売登録した商品の情報を、通信Ｉ／Ｆ６２を介してストアサーバに送信する。加えて販売登録部５４は、通信Ｉ／Ｆ６２および無線ＬＡＮ等のネットワークを介してチケット販売会社、配送会社、ネットスーパー等のサーバと通信し、チケット販売契約処理、配送の手配、商品の注文処理等を行う。
【００４０】
次に、ＰＯＳ装置２が実行する表示切替処理の手順について説明する。図５は、ＰＯＳ装置２が実行する表示切替処理の手順を示すフローチャートである。
【００４１】
表示制御部５２は、操作表示部４２にホーム画面（図４参照）を表示する（ステップＳ１）。この場合、ホーム画面は客側に向けて表示される。即ち表示制御部５２は、ホーム画面の下側が客用表示部４１側となるように表示する。
【００４２】
次に、表示制御部５２はホーム画面においていずれかのメニューが選択されたか否かを判定する（ステップＳ２）。メニューが選択された場合（ステップＳ２：Ｙｅｓ）には、表示制御部５２は選択されたメニューに対応する商品選択画面、受付画面等を操作表示部４２に表示する（ステップＳ３）。尚、画面の向きは客側向きが保たれる。
【００４３】
次に、検出部５１は、操作表示部４２が起立状態となったか否かを判定する（ステップＳ４）。起立状態となった場合（ステップＳ４：Ｙｅｓ）、表示制御部５２は表示画面を上下反転し店員側に向けて表示する（ステップＳ５）。即ち、画面の下側がドロワ４５側となるよう表示する。一方、起立状態とならない場合（ステップＳ４：Ｎｏ）にはそのまま客側に向けた上下方向にて表示を続ける。
【００４４】
次に、検出部５１は、操作表示部４２が収納状態となったか否かを判定する（ステップＳ６）。収納状態となった場合（ステップＳ６：Ｙｅｓ）にはステップＳ３に移行して店員向け表示を客向け表示に切り替える。収納状態とならない場合（ステップＳ６：Ｎｏ）には商品選択画面、受付画面等の表示画面においてホーム画面に移行するためのボタンが選択されたか否かを判定する（ステップＳ７）。ホーム画面ボタンが選択された場合（ステップＳ７：Ｙｅｓ）には、ステップＳ１に移行して表示制御部５２はホーム画面を客側に向けて表示する。ホーム画面ボタンが選択されない場合（ステップＳ７：Ｎｏ）には、ステップＳ６に戻る。
【００４５】
ステップＳ２において、いずれのメニューも選択されない場合（ステップＳ２：Ｎｏ）、検出部５１は操作表示部４２が起立状態となったか否かを判定する（ステップＳ８）。起立状態となった場合（ステップＳ８：Ｙｅｓ）、表示制御部５２は操作表示部４２に登録画面を表示する（ステップＳ９）。この場合、表示制御部５２は登録画面を店員側に向けて、即ち登録画面の下側がドロワ４５側となるように表示する。
【００４６】
起立状態とならない場合（ステップＳ８：Ｎｏ）には、検出部５１はスキャナ６がスキャナポケット７から取り出されたか否かを判定する（ステップＳ１１）。取り出されていない場合（ステップＳ１１：Ｎｏ）にはステップＳ２に戻る。スキャナ取り出しを検出した場合（ステップＳ１１：Ｙｅｓ）には、表示制御部５２は登録画面を店員側に向けて表示する（ステップＳ９）。
【００４７】
本実施形態では、操作表示部４２を起こした場合およびスキャナ６をスキャナポケット７から取り出した場合に、登録画面が店員側に向けて表示される。従って、店員はすみやかに商品登録処理を開始することができる。
【００４８】
そして、検出部５１は操作表示部４２が収納状態となったか否かを判定する（ステップＳ１０）。収納状態となった場合（ステップＳ１０：Ｙｅｓ）にはステップＳ１に戻り、表示制御部５２は操作表示部４２にホーム画面を表示する。この場合表示制御部５２はホーム画面を客側に向けて表示する。一方、収納状態とならない場合（ステップＳ１０：Ｎｏ）には、ステップＳ１０に戻り登録画面の表示を続行する。
【００４９】
尚、上述では、各表示画面を操作表示部４２に表示する場合の表示切替について主に説明したが、操作表示部３２においてもその収納状態、起立状態に応じて上記各表示画面を切替表示してよい。また、表示制御部５２は、各表示画面を操作表示部４２、３２のいずれか一方に表示してもよいし、操作表示部４２、３２の双方に表示してもよい。この場合に表示制御部５２は、各操作表示部４２、３２それぞれの収納状態、起立状態に応じて各表示画面の上下方向をそれぞれ切り替える。
【００５０】
また、操作表示部４２、３２の保持方法は上述した形態に限定されない。例えば、操作表示部４２、３２をヒンジ等を用いて筐体４、カウンタ３の上面４０、３０に保持し、ヒンジの開閉によって起立状態（第１状態）と収納状態（第２状態）とを切替えてもよい。この場合に、上面４０、３０には凹部４２ｂを設けずともよい。尚、凹部が無い場合の収納状態については、操作表示部４２、３２がそれぞれ上面４０、３０上に平坦に載置された状態となる。凹部が無い場合には、起立状態において平坦な上面４０、３０を広く作業スペースとして用いることができる。
【００５１】
以上のように本実施形態によれば、操作表示部４２を上面４０に沿わせた収納状態（第２状態）では、操作表示部４２は客側に向けた各種操作画面を表示する。従って、上面４０に沿う画面に対して入力操作ができるので、操作性を向上できる。また、上面４０に沿う向きでは客側、店員側の双方側から画面を見易くなり、必要に応じて店員がドロワ側に立ったまま操作補助を行うことができる。従って、商品受付や伝票記入等の処理効率、および、接客性の向上を図ることができる商品販売データ処理装置およびプログラムを提供することができる。
【００５２】
本発明のいくつかの実施形態を説明したが、これらの実施形態は、例として提示したものであり、発明の範囲を限定することは意図していない。これら新規な実施形態は、その他の様々な形態で実施されることが可能であり、発明の要旨を逸脱しない範囲で、種々の省略、置き換え、変更を行うことができる。これら実施形態やその変形は、発明の範囲や要旨に含まれるとともに、特許請求の範囲に記載された発明とその均等の範囲に含まれる。
【符号の説明】
【００５３】
１…商品販売ユニット、２…ＰＯＳ装置、３…カウンタ、４…筐体、６…スキャナ、７…スキャナポケット、３０、４０…上面、３１、４１…客用表示部、３２、４２…操作表示部、３６、４６…ラック、４２ａ…収納溝、４２ｂ…凹部、４４ａ…プリンタ、４４…排紙口、４５…ドロワ、５０…制御部、５１…検出部、５２…表示制御部、５３…入力受付部、５４…販売登録部。
【先行技術文献】
【特許文献】
【００５４】
【特許文献１】特開平３−１２３９９１号公報
【図１】
0005860859.tif 000002
【図２】
0005860859.tif 000003
【図３】
0005860859.tif 000004
【図４】
0005860859.tif 000005
【図５】
0005860859.tif 000006